(57)【要約】【課題】  本発明は、洗濯機および衣類乾燥機などの家電製品を支持する家電製品用レッグアセンブリを提供する。【解決手段】  本発明に係るレッグアセンブリは、家電製品に結合されるスクリュー１１０と、前記スクリュー１１０の一端に備えられたヘッド１２０を有するレッグボルト１００と、前記ヘッド１２０に密着して床と接触する軟質のパッド２００と、前記ヘッド１２０に結合され、前記パッド２００を前記ヘッド１２０側に押して前記ヘッド１２０とパッド２００を固定させる少なくとも１つのホルダ３００を含んでいる。
2007500833.tif 000002
【特許請求の範囲】
【請求項１】
家電製品に結合されるスクリューと、前記スクリューの一端に備えられたヘッドを有するレッグボルトと、
前記ヘッドに密着して床と接触する軟質のパッドと、
前記ヘッドに結合され、前記パッドを前記ヘッド側に押して前記ヘッドとパッドを固定させる少なくとも一つのホルダとを含む家電製品用レッグアセンブリ。
【請求項２】
前記ヘッドは、
前記スクリューの一端に備えられているフラットヘッド（flat head）と、
前記フラットヘッドの中央部分から突出したプラットフォームとを含むことを特徴とする請求項１に記載の家電製品用レッグアセンブリ。
【請求項３】
前記フラットヘッドは、円盤状をなすことを特徴とする請求項２に記載の家電製品用レッグアセンブリ。
【請求項４】
前記レッグボルトは、前記スクリューと前記ヘッドとの間に備えられ、角状の外周面を有する角状のヘッドをさらに含むことを特徴とする請求項１に記載の家電製品用レッグアセンブリ。
【請求項５】
前記パッドは、
前記ホルダにより前記ヘッドに固定されるエッジ部と、
前記エッジ部より突出し、前記床と接触する中央部とを含むことを特徴とする請求項１に記載の家電製品用レッグアセンブリ。
【請求項６】
前記ヘッドとパッドのうち、少なくとも何れか１つに設けられる少なくとも一つの溝と、
前記ヘッドとパッドのうち、少なくとも何れか１つに設けられ、前記溝に挿入される突起をさらに含むことを特徴とする請求項１に記載の家電製品用レッグアセンブリ。
【請求項７】
前記溝と突起は、長いことを特徴とする請求項６に記載の家電製品用レッグアセンブリ。
【請求項８】
前記溝と突起は、前記レッグボルトの回転中心からずれて配置されることを特徴とする請求項６に記載の家電製品用レッグアセンブリ。
【請求項９】
前記ヘッドの周面と前記ホルダの内面のうち、少なくとも何れか１つに設けられる少なくとも１つの溝と、
前記ヘッドの周面と前記ホルダの内面のうち、少なくとも何れか１つに提供され、前記溝に挿入される少なくとも１つの突起をさらに含むことを特徴とする特徴とする請求項１に記載の家電製品用レッグアセンブリ。
【請求項１０】
前記溝または前記突起は、前記複数のフック同士の間に配置されることを特徴とする請求項９に記載の家電製品用レッグアセンブリ。
【請求項１１】
前記ホルダは、
中央に前記パッドの中央部が貫通するホールを有し、前記パッドのエッジ部を前記ヘッドに密着させる底部と、
前記底部の周縁から延長され、前記底部が前記エッジ部を押した状態で前記ヘッドの一面に係止して支持される複数のフックを有する側壁とを含むことを特徴とする請求項１に記載の家電製品用レッグアセンブリ。
【請求項１２】
前記フックは、前記側壁の内面から前記ホルダの内部空間に突出することを特徴とする請求項１１に記載の家電製品用レッグアセンブリ。
【請求項１３】
前記底部と前記フックとの距離は、圧縮前の前記エッジ部の厚さと前記ヘッドの厚さとの和より小さいことを特徴とする請求項１１に記載の家電製品用レッグアセンブリ。
【請求項１４】
前記ホルダは、前記エッジ部を大きい圧力で押すように前記底部から突出した少なくとも１つの突起をさらに含むことを特徴とする請求項１１に記載の家電製品用レッグアセンブリ。
【請求項１５】
前記複数の突起は、前記ホールの周辺に等間隔で配置されることを特徴とする請求項１４に記載の家電製品用レッグアセンブリ。
【請求項１６】
前記ホルダは、硬質材質からなり、角状の外周面を有することを特徴とする請求項１または請求項１１に記載の家電製品用レッグアセンブリ。
【請求項１７】
前記ホルダは、前記ホルダを前記ヘッドに組み立てる時、前記フックが形成された側壁部分が容易に開くことができるように、前記底部と前記側壁との連結部位に設けられる少なくとも１つの開口部をさらに含むことを特徴とする請求項１１に記載の家電製品用レッグアセンブリ。
【請求項１８】
前記開口部は、前記フックの垂直投影面に設けられることを特徴とする請求項１７に記載の家電製品用レッグアセンブリ。
【請求項１９】
前記ホルダは、前記ヘッドの両側で互いに組み立てられて、前記パッドを前記ヘッドに固定するインナホルダとアウタホルダとを含むことを特徴とする請求項１に記載の家電製品用レッグアセンブリ。
【請求項２０】
前記インナホルダは、前記パッドのエッジ部を囲むように提供され、前記アウタホルダは、一方が前記ヘッドに支持され、他方が前記インナホルダに支持されるように設けられることを特徴とする請求項１９に記載のレッグアセンブリ。
【請求項２１】
前記ヘッドの周面と前記インナホルダの内面のうち、少なくとも何れか１つに設けられる少なくとも１つの溝と、
前記ヘッドの周面と前記インナホルダの内面のうち、少なくとも何れか１つに提供され、前記溝に挿入される少なくとも１つの突起をさらに含むことを特徴とする請求項１９に記載のレッグアセンブリ。
【請求項２２】
前記インナホルダは、硬質材質からなり、角状の外周面を有することを特徴とする請求項１９に記載の家電製品用レッグアセンブリ。
【請求項２３】
前記アウタホルダは、硬質材質からなり、前記インナホルダの角状の外周面と噛み合う角状の内周面を有することを特徴とする請求項２２に記載の家電製品用レッグアセンブリ。
【請求項２４】
前記アウタホルダは硬質材質からなり、角状の外周面を有することを特徴とする請求項１９に記載の家電製品用レッグアセンブリ。
【請求項２５】
前記インナホルダは、
中央に前記パッドの中央部が貫通するホールを有し、前記パッドのエッジ部を囲む底部と、
前記底部の周縁から延長され、前記パッドと前記ヘッドとの周面を囲む側壁を含んでいる請求項１９に記載の家電製品用レッグアセンブリ。
【請求項２６】
前記インナホルダは、前記エッジ部を大きい圧力で押すように前記底部から突出した少なくとも１つの突起をさらに含んでいる請求項２５に記載の家電製品用レッグアセンブリ。
【請求項２７】
前記複数の突起は、前記ホールの周辺に等間隔で配置されることを特徴とする請求項２６に記載の家電製品用レッグアセンブリ。
【請求項２８】
前記アウタホルダは、
中央に前記スクリューが貫通するホールが備えられ、前記ヘッドの一面に支持される底部と、
前記底部の周面から延長され、前記インナホルダが前記パッドのエッジ部を押した状態で前記インナホルダに係止して支持される複数のフックを有する側壁を含んでいる請求項１９に記載の家電製品用レッグアセンブリ。
【請求項２９】
前記フックは、前記側壁の内面から前記アウタホルダの内部空間に突出することを特徴とする請求項２８に記載の家電製品用レッグアセンブリ。
【請求項３０】
前記底部と前記フックとの間の距離は、前記ヘッドと前記パッドおよび前記インナホルダの厚さの和より小さいことを特徴とする請求項２８に記載の家電製品用レッグアセンブリ。
【請求項３１】
前記アウタホルダは、前記アウタホルダと前記インナホルダを前記ヘッドに組み立てる時、前記フックが形成された側壁部分が容易に開くことができるように、前記底部と前記側壁の連結部位に設けられる少なくとも１つの開口部をさらに含んでいる請求項２８に記載の家電製品用レッグアセンブリ。
【請求項３２】
前記開口部は、前記フックの垂直投影面に設けられることを特徴とする請求項３１に記載の家電製品用レッグアセンブリ。
【請求項３３】
家電製品に結合されるスクリュー、前記スクリューの一端に備えられたフラットヘッドと、前記フラットヘッドの中央部分から突出したプラットフォームを有するヘッドとを含んでいるレッグボルトと、
前記ホルダにより前記フラットヘッドに固定されるエッジ部、前記プラットフォームに密着し、前記エッジ部より突出し、前記床と接触する中央部を含んでいる軟質のパッドと、
中央に前記中央部が貫通するホールを有し、前記エッジ部を前記フラットヘッドに密着させる底部、前記底部の周縁から延長されて前記底部が前記エッジ部を押した状態で前記ヘッドの一面に係止して支持される複数のフックを有する側壁とを含む硬質のホルダとを含んでいる家電製品用レッグアセンブリ。
【請求項３４】
前記ホルダは、硬質材質からなり、角状の外周面を有することを特徴とする請求項３３に記載の家電製品用レッグアセンブリ。
【請求項３５】
前記ホルダは、前記エッジ部を大きい圧力で押すように、前記底部から突出した少なくとも１つの突起をさらに含んでいる請求項３３に記載の家電製品用レッグアセンブリ。
【請求項３６】
前記ヘッドと前記パッドに提供され、前記パッドが前記ヘッドに対して回転することを防止する第１回転止め具をさらに含んでいる請求項３３に記載の家電製品用レッグアセンブリ。
【請求項３７】
前記第１回転止め具は、
前記プラットフォームと前記中央部のうち、少なくとも何れか１つに設けられる少なくとも１つの溝と、
前記プラットフォームと前記中央部のうち、少なくとも何れか１つに提供され、前記溝に挿入される少なくとも１つの突起を含むことを特徴とする請求項３６に記載の家電製品用レッグアセンブリ。
【請求項３８】
前記ヘッドと前記ホルダに提供され、前記ホルダが前記ヘッドに対して回転することを防止する第２回転止め具をさらに含むことを特徴とする請求項３３に記載の家電製品用レッグアセンブリ。
【請求項３９】
前記第２回転止め具は、
前記フラットヘッドの周面と前記側壁の内面のうち、少なくとも何れか１つに設けられる少なくとも１つの溝と、
前記フラットヘッドの周面と前記側壁の内面のうち、少なくとも何れか１つに提供され、前記溝に挿入される少なくとも１つの突起を含むことを特徴とする請求項３８に記載の家電製品用レッグアセンブリ。
【請求項４０】
前記ホルダは、前記ホルダを前記ヘッドに組み立てる時、前記フックが形成された側壁部分が容易に開くことができるように、前記底部と前記側壁の連結部位に設けられる少なくとも1つの開口部をさらに含むことを特徴とする請求項３３に記載の家電製品用レッグアセンブリ。
【請求項４１】
家電製品に結合されるスクリュー、前記スクリューの一端に備えられたフラットヘッドと前記フラットヘッドの中央部分から突出したプラットフォームを有するヘッドとを含んでいるレッグボルトと、
前記ホルダにより、前記フラットヘッドに固定されるエッジ部、そして前記プラットフォームに密着して前記エッジ部より突出し、前記床と接触する中央部を含んでいる軟質のパッドと、
中央に前記中央部が貫通するホールを有し、前記パッドのエッジ部を囲む第１底部、前記第１底部の周縁から延長され、前記パッドと前記ヘッドの周面を囲む第１側壁を含むインナホルダと、
中央に前記スクリューが貫通するホールが備えられ、前記ヘッドの一面に支持される第２底部、そして前記第２底部の周面から延長されて前記インナホルダが前記エッジ部を押した状態で前記インナホルダに係止して支持される複数のフックを有する第２側壁を含むアウタホルダとを含んでいる家電製品用レッグアセンブリ。
【請求項４２】
前記アウタホルダは、硬質材質からなり、角状の外周面を有することを特徴とする請求項４１に記載の家電製品用レッグアセンブリ。
【請求項４３】
前記ヘッドと前記パッドに提供され、前記パッドが前記ヘッドに対して回転することを防止する第１回転止め具をさらに含むことを特徴とする請求項４１に記載の家電製品用レッグアセンブリ。
【請求項４４】
前記第１回転止め具は、
前記プラットフォームと前記中央部のうち、少なくとも何れか１つに設けられる少なくとも１つの溝と、
前記プラットフォームと前記中央部のうち、少なくとも何れか１つに設けられ、前記溝に挿入される少なくとも１つの突起を含むことを特徴とする請求項４３に記載の家電製品用レッグアセンブリ。
【請求項４５】
前記ヘッドと前記インナホルダに提供され、前記インナホルダが前記ヘッドに対して回転することを防止する第３回転止め具をさらに含むことを特徴とする請求項４１に記載の家電製品用レッグアセンブリ。
【請求項４６】
前記第３回転止め具は、
前記フラットヘッドの周面と前記インナホルダの内面のうち、少なくとも何れか１つに設けられる少なくとも１つの溝と、
前記フラットヘッドの周面と前記インナホルダの内面のうち、少なくとも何れか１つに提供され、前記溝に挿入される少なくとも１つの突起を含むことを特徴とする請求項４５に記載の家電製品用レッグアセンブリ。
【請求項４７】
前記インナホルダと前記アウタホルダに提供され、前記アウタホルダが前記インナホルダに対して回転することを防止する第４回転止め具をさらに含むことを特徴とする請求項４１に記載の家電製品用レッグアセンブリ。
【請求項４８】
前記第４回転止め具は、
前記インナホルダに設けられる角状の外周面と、
前記アウタホルダに提供され、前記インナホルダの角状の外周面に噛み合う角状の内周面を含むことを特徴とする請求項４７に記載の家電製品用レッグアセンブリ。
【請求項４９】
前記アウタホルダは、前記アウタホルダを前記ヘッドに組み立てる時、前記フックが形成された側壁部分が容易に開くことができるように、前記底部と前記側壁の連結部位に設けられる少なくとも１つの開口部をさらに含むことを特徴とする請求項４１に記載の家電製品用レッグアセンブリ。
【発明の詳細な説明】
【技術分野】
【０００１】
本発明は洗濯機および衣類乾燥機などの家電製品を支持する家電製品用レッグアセンブリに関する。
【背景技術】
【０００２】
一般的に、家電製品用レッグ（leg）は、家電製品の下部の角に設けられ、家電製品を支持する。なお、洗濯機、衣類乾燥機、冷蔵庫、および食器洗浄機など、設置状態が製品の寿命および作動の信頼性に密接な影響を及ぼす家電製品に適用されるレッグは、通常、家電製品の各角の高さを容易に調節できるようにスクリュー構造を有する。
【０００３】
図１および図２は、スクリュー構造を有するレッグ１０をドラム洗濯機に適用した例が示されているが、以下ではこれらの図を参照して、レッグ１０の構造をさらに詳細に説明する。
【０００４】
図２を参照すると、典型的なレッグ１０は、長いスクリュー１１ａとこのスクリュー１１ａの一端に形成されたフラットヘッド１１ｂを有するレッグボルト１１、およびフラットヘッド１１ｂを囲むパッド１５を含んでいる。
フラットヘッド１１ｂは、通常、家電製品１の荷重を床（floor）に万遍なく分散させることができるように、円盤状になる。そして、パッド１５は、通常、ブチルゴムからなり、モールディング工程を通してフラットヘッド１１ｂを囲むように成型される。
【０００５】
また、スクリュー１１ａとフラットヘッド１１ｂとの間には、図２に示しているように、角状の外周面を有する角状のヘッド１１ｃを備えることもできる。このように、角状のヘッド１１ｃが備えられると、家電製品１を設置する時、作業者が工具を用いてレッグ１０の高さを容易に調節することができる。
【発明の開示】
【発明が解決しようとする課題】
【０００６】
しかしながら、上記構造を有する典型的なレッグ１０を生産するためには、レッグボルト１１のフラットヘッド１１ｂに接着剤を噴霧し、モールディング工程を通してフラットヘッド１１ｂの表面にブチルゴムからなるパッド１５を成型しなければならない。このように、典型的なレッグ１０を生産する工程は非常に複雑であるため、典型的なレッグ１０は生産性が低いという問題を有している。
【０００７】
また、パッド１５の外周面には成型時、ブチルゴムが金型と金型との間に漏洩した後、凝固した一種のバリ（burr）ができる。このように、モールディング工程で形成されたバリのため、パッド１５の外観が悪くなり、このためレッグ１０の仕上げが悪くなるという問題を有している。
【０００８】
さらに、パッド１５には角状の外面がなく、材質も柔らかいため、レッグ１０を家電製品１に結合させたり、その高さを調節するために回転させる時、作業者の手がパッド１５から滑りやすくなる。従って、典型的なレッグ１０は作業者の作業能率を低下させるという問題を有している。
【０００９】
本発明は上記の問題点を解決するためのもので、その目的は、製造時の生産性と設置時の作業性が向上するように家電製品用レッグの構造を改善することである。
【００１０】
また、本発明の他の目的は、滑らかで、かつきれいな外観を有するように家電製品用レッグの構造を改善することである。
【課題を解決するための手段】
【００１１】
上記目的を達成するために、本発明は、家電製品に結合するスクリューと、前記スクリューの一端に備えられたヘッドを有するレッグボルトと、前記ヘッドに密着させて床と接触する軟質のパッドと、および前記ヘッドに結合され、前記パッドを前記ヘッド側に押して前記ヘッドとパッドを固定させる少なくとも一つのホルダとを含んでいる家電製品用レッグアセンブリを提供する。
【００１２】
前記ヘッドは、前記スクリューの一端に備えられるフラットヘッド（flat head）、および前記フラットヘッドの中央部分から突出したプラットフォーム（platform）を含んでいる。そして、前記フラットヘッドは円盤状からなる。
【００１３】
また、前記レッグボルトは、前記スクリューと前記ヘッドとの間に備えられ、角状の外周面を有する角状のヘッドをさらに含んでいる。
【００１４】
一方、前記パッドは、前記ホルダにより前記ヘッドに固定されるエッジ部、そして前記エッジ部より突出し、前記床と接触する中央部を含んでいる。
【００１５】
また、本発明に係るレッグアセンブリは、前記パッドが前記ヘッドに対して回転することを防止するために、前記ヘッドとパッドのうち、少なくとも何れか１つに設けられる少なくとも一つの溝、そして前記ヘッドとパッドのうち、少なくとも何れか１つに提供され、前記溝に挿入される突起をさらに含んでいる。前記溝と突起は長く形成したり、前記レッグボルトの回転中心からずれて配置する。
【００１６】
また、本発明に係るレッグアセンブリは、前記ホルダが前記ヘッドに対して回転することを防止するために、前記ヘッドの周面と前記ホルダの内面のうち、少なくとも何れか１つに設けられる少なくとも１つの溝、そして前記ヘッドの周面と前記ホルダの内面のうち、少なくとも何れか１つに提供され、前記溝に挿入される少なくとも１つの突起をさらに含んでいる。この場合、前記溝または突起は、前記複数のフック同士の間に配置する。
【００１７】
一方、本発明の一実施形態によると、前記ホルダは、中央に前記パッドの中央部が貫通するホールを有し、前記パッドのエッジ部を前記ヘッドに密着させる底部、そして前記底部の周縁から延長され、前記底部が前記エッジ部を押した状態で前記ヘッドの一面に係止して支持される複数のフックを有する側壁とを含んでいる。
【００１８】
前記フックは、前記側壁の内面から前記ホルダの内部空間に突出する。そして、前記底部と前記フックとの距離は、圧縮前の前記エッジ部の厚さと前記ヘッドの厚さとの和より小さいことが好ましい。
【００１９】
また、前記ホルダは、前記エッジ部を大きい圧力で押すように前記底部から突出した少なくとも１つの突起をさらに含んでいる。この場合、前記複数の突起は、前記ホールの周辺に等間隔で配置される。
【００２０】
一方、前記ホルダは硬質材質からなり、角状の外周面を有することが好ましい。そして、前記ホルダは、前記ホルダを前記ヘッドに組み立てる時、前記フックが形成された側壁部分が容易に開くように、前記底部と前記側壁との連結部位に設けられる少なくとも１つの開口部をさらに含んでいる。この場合、前記開口部は前記フックの垂直投影面に設けられることが好ましい。
【００２１】
一方、本発明の他の一実施形態によると、前記ホルダは、前記ヘッドの両側で互いに組み立てて、前記パッドを前記ヘッドに固定するインナホルダとアウタホルダとを含んでいる。
【００２２】
この場合、前記インナホルダは前記パッドのエッジ部を囲むように提供され、前記アウタホルダは一方が前記ヘッドに支持され、他方が前記インナホルダに支持されるように設けられる。
【００２３】
また、本発明に係るレッグアセンブリは、前記インナホルダが前記ヘッドに対して回転することを防止するために、前記ヘッドの周面と前記インナホルダの内面のうち、少なくとも何れか１つに設けられる少なくとも１つの溝、そして前記ヘッドの周面と前記インナホルダの内面のうち、少なくとも何れか１つに提供され、前記溝に挿入される少なくとも１つの突起をさらに含んでいる。
【００２４】
また、前記インナホルダは硬質材質からなり、角状の外周面を有することが好ましい。そして、この場合、前記アウタホルダが前記インナホルダに対して回転することを防止するために、前記アウタホルダは硬質材質からなり、前記インナホルダの角状の外周面と噛み合う角状の内周面を有することが好ましい。一方、前記アウタホルダは角状の外周面を有する。
【００２５】
一方、前記インナホルダは、中央に前記パッドの中央部が貫通するホールを有し、前記パッドのエッジ部を囲む底部、そして前記底部の周縁から延長され、前記パッドと前記ヘッドとの周面を囲む側壁を含んでいる。
【００２６】
また、前記インナホルダは、前記エッジ部を大きい圧力で押すように前記底部から突出した少なくとも１つの突起をさらに含んでいる。この場合、前記複数の突起は、前記ホールの周辺に等間隔で配置される。
【００２７】
一方、前記アウタホルダは、中央に前記スクリューが貫通するホールが備えられ、前記ヘッドの一面に支持される底部、そして前記底部の周面から延長され、前記インナホルダが前記パッドのエッジ部を押した状態で前記インナホルダに係止して支持される複数のフックを有する側壁を含んでいる。
【００２８】
前記フックは、前記側壁の内面から前記アウタホルダの内部空間に突出する。そして、前記底部と前記フックとの間の距離は、前記ヘッドと前記パッドおよび前記インナホルダの厚さの和より小さいことが好ましい。
【００２９】
また、前記アウタホルダは、前記アウタホルダと前記インナホルダを前記ヘッドに組み立てる時、前記フックが形成された側壁部分が容易に開くように、前記底部と前記側壁の連結部位に設けられる少なくとも１つの開口部をさらに含んでいる。この場合、前記開口部は、前記フックの垂直投影面に設けられることが好ましい。
【発明を実施するための最良の形態】
【００３０】
以下、本発明に係るレッグアセンブリの好適な実施の形態について、添付の図面に基づいて詳細に説明する。
【００３１】
本発明の実施形態を説明することにおいて、同一構成に対しては、同一名称および符号が用いられ、これに係る付加的な説明および重複する説明は下記では省略する。
【００３２】
まず、図３ないし図６ｃは、本発明の第１実施形態に係るレッグアセンブリを示しており、図７ないし図１０ｂは本発明の第２実施形態に係るレッグアセンブリを示している。これらの図に示すように、本発明に係るレッグアセンブリは家電製品(図示せず)に結合されるレッグボルト１００、このレッグボルト１００の一方に密着されるパッド２００、そしてパッド２００をレッグボルト１００に固定する、少なくとも１つのホルダ３００を含んでいる。
【００３３】
第１実施形態に係るレッグアセンブリに適用されるホルダと、第２実施形態に係るレッグアセンブリに適用されるホルダは、多方面において同一な技術的特徴を有しているが、これらは少し相異する構造を有する。従って、以下では、まず第１実施形態に係るレッグアセンブリについて説明し、第２実施形態に係るレッグアセンブリについては第１実施形態に係るレッグアセンブリとは異なる点を中心に説明する。
【実施例１】
【００３４】
レッグボルト１００は家電製品(図示せず)に結合されるもので、図３、図５、および図６ａに示すように、長いスクリュー１１０とヘッド１２０を含んでいる。
【００３５】
スクリュー１１０は、家電製品の下部の角に結合するため、ユーザはスクリュー１１０を回転させてレッグボルト１００の高さを調節することができる。
また、ヘッド１２０は、スクリュー１１０の一端に備えられるが、これはフラットヘッド１２１とプラットフォーム１２５を含んでいる。フラットヘッド１２１は、円盤状に形成され、プラットフォーム１２５は、フラットヘッド１２１の中央部分からスクリュー１１０の前進方向とは反対方向に突出する。
また、ヘッド１２０とスクリュー１１０との間には、角状のヘッド１３０がさらに備えられることができる。この角状のヘッド１３０は、図６ａに示しているように、角状の外周面を有する。したがって、角状のヘッド１３０が備えられると、作業者はスパナやレンチなどの工具を用いてレッグボルト１００を容易に回転させることができる。
【００３６】
一方、パッド２００は軟質材質からなり、ヘッド１２０に密着するように設けられ、電子製品が設置された時、床と接触する。このようなパッド２００はホルダ３００によりヘッド１２０に結合され、図６ｂに示しているように、エッジ部２１０と中央部２２０を含んでいる。
エッジ部２１０は、ホルダ３００によりヘッド１２０、特にフラットヘッド１２１に固定される。また、中央部２２０はエッジ部２１０よりスクリュー１１０の前進方向の反対方向側にさらに突出し、床と接触する。中央部２２０は前記電子製品が設けられた時、床と接触するため、前記家電製品の荷重に耐えることができるように十分に厚く形成することが好ましい。
【００３７】
一方、ホルダ３００は１つの片（piece）からなり、ヘッド１２０に結合されてパッド２００をヘッド１２０側に押した状態で固定させる。このようなホルダ３００は、図６ｃに示しているように、底部３１０と側壁３２０を含んでいるが、その詳細な構成は次の通りである。
【００３８】
底部３１０の中央には、図３および図６ｃに示すように、パッド２００の中央部２２０が貫通するホール３１７が設けられる。このような底部３１０は、図３に示すように、ホルダ３００がヘッド１２０に結合された状態でパッド２００のエッジ部２１０をヘッド１２０、特にフラットヘッド１２１に密着させて固定する。
また、側壁３２０は、底部３１０の周面からスクリュー１１０の前進方向側にほぼ垂直に延長される。このような側壁３２０は、ホルダ３００がヘッド１２０に結合された時、エッジ部２１０とヘッド１２０、特にフラットヘッド１２１の周面を囲む。
【００３９】
一方、側壁３２０には、図６ｃに示しているように、フック３２５が設けられる。このフック３２５は、図３に示すように、底部３１０がエッジ部２１０を押した状態で、ヘッド１２０の一面、さらに詳しくはスクリュー１１０に向かっているフラットヘッド１２１の一面に係止して支持される。
フック３２５は、図６ｃに示したように、側壁３２０の内面からホルダ３００の内部空間に突出し、底部３１０がパッド２００のエッジ部２１０を満遍なく押して固定することができるように複数のフックが備えられ、側壁３２０の内面に等間隔で配置される。しかし、フック３２５は、図示はしないが、側壁３２０の内面ではなく、上端から延長されることもできる。
【００４０】
また、ホルダ３００がパッド２００のエッジ部２１０を安定的に固定させるように、底部３１０と前記フック３２５との間の距離は、ホルダ３００により圧縮する前のエッジ部２１０の厚さと、ヘッド１２０、特にフラットヘッド１２１の厚さとの和より小さいものが好ましい。
【００４１】
また、本発明に係るレッグアセンブリには、ホルダ３００がエッジ部２１０を大きい圧力で押すことができる構造がさらに設けられる。このため、底部３１０には図４および図６ｃに示すように、少なくとも１つの突起３１１がパッド２００側に突出する。
このような突起３１１は、エッジ部２１０を満遍なく押すことができるように、複数の突起が備えられ、ホール３１７の周辺に等間隔で配置されることが好ましい。しかし、突起３１１の構造はこれに制限されるだけではない。例えば、突起３１１は、ホール３１７の周辺に沿って突出したリング状に設けられることもできる。
【００４２】
一方、フック３２５は側壁３２０の内面からホルダ３００の内部空間に延長されるため、ホルダ３００をヘッド１２０に容易に結合させるためには、フック３２５が延長された側壁３２０の一部分がホルダ３００の外側に向かって容易に開くことができなければならない。従って、本発明に係るレッグアセンブリには、このために、切欠部３１５が設けられる。
切欠部３１５は、図６ｃに示しているように、ホルダ３００の底部３１０と側壁３２０の連結部位に設けられる。フック３２５が形成された側壁３２０の一部が容易に開くことができるように、切欠部３１５は底部３１０と側壁３２０との連結部位のうちでも、ホルダ３００を上から見た時、フック３２５が投影される領域、即ちフック３２５の垂直投影面に設けられることが好ましい。
【００４３】
構造を有するホルダ３００は、床と接触するパッド２００の中央部２２０を除外したエッジ部２１０とレッグボルト１００のヘッド１２０を囲む。従って、作業者がレッグアセンブリを家電製品に組み立てる時、ホルダ３００の外周面を手、または必要に応じて、工具で掴んで回転させると便利である。
【００４４】
従って、ホルダ３００は硬質材質からなり、手、または工具で掴みやすくするように、図４および図６ｃに示しているように、角状の外周面を有することが好ましい。角状の外周面の角部分は図４に示しているように、ラウンド処理することができる。
前述したように、ホルダ３００が硬質材質からなり、角状の外周面を有すると、ゴムブチル材質からなるパッドが外部に露出した典型的なレッグアセンブリより滑らかで、かつきれいな外観を得ることができる。
【００４５】
一方、レッグアセンブリ１００のヘッド１２０とパッド２００は、単純に接触した状態でホルダ３００により固定される。そのため、長期間使用した後で、電子製品の位置を変えたり、レッグボルト１００を回転させてその高さを調節する時、前記パッド２００が前記ヘッド１２０から滑ったり、回転したりする可能性がある。
【００４６】
従って、本発明ではこれを防止するための第１回転止め具（protector）を提供する。第１回転止め具はヘッド１２０とパッド２００に提供され、パッド２００がヘッド１２０に対して滑ったり、回転したりすることを防止する。このような第１回転止め具は、溝１０１とこの溝１０１に挿入される突起２０１からなることができるが、これに対してさらに説明すると次の通りである。
【００４７】
溝１０１は、パッド２００とヘッド１２０、特にプラットフォーム１２５のうち、少なくとも何れか１つに少なくとも１つが設けられる。また、突起２０１は、溝１０１に挿入されるもので、ヘッド１２０、特にプラットフォーム１２５と前記パッド２００のうち、少なくとも何れか１つに少なくとも一つが設けられる。
参考として、図６ａおよび図６ｂには複数の溝１０１がヘッド１２０のプラットフォーム１２５に設けられ、複数の突起２０１がパッド２００に提供された例が示されている。しかし、これに制限されることはない。例えば、溝１０１がパッド２００に、また突起２０１がヘッド１２０に備えられることができ、前記溝１０１と突起２０１がパッド２００とヘッド１２０に全て設けられることもできる。
【００４８】
一方、溝１０１と突起２０１は、パッド２００がヘッド１２０から回転することを効果的に防止することができるように、レッグボルト１００の回転中心からずれるように配置され、さらにパッド２００の半径方向に長い形状であることが好ましい。しかし、溝１０１と突起２０１は、レッグボルト１００の回転中心からずれるように配置される場合は、円形状であっても構わない。
【００４９】
前述したように溝１０１と突起２０１が、前記ヘッド１２０とパッド２００に設けられると、パッド２００の滑りおよび回転を防止することができるだけでなく、レッグアセンブリを容易に組み立てることができる。さらに詳しく説明すると、レッグアセンブリを組み立てる時、突起２０１と溝１０１は、パッド２００とヘッド１２０が互いに結合しなければならない位置を正確に決定する。その後、突起２０１を溝１０１にはめ込めば、パッド２００がヘッド１２０に仮付着されるため、作業者はパッド２００とレッグボルト１００との組立体にホルダ３００を容易に結合させることができる。
【００５０】
一方、ホルダ３００を掴んでレッグボルト１００を回転させる場合、ホルダ３００は、ヘッド１２０に対して回転しないことが好ましい。従って、このために、本発明に係るレッグアセンブリにはホルダ３００がヘッド１２０、特にフラットヘッド１２１に対して回転することを防止する第２回転止め具が設けられる。この第２回転止め具はヘッド１２０とホルダ３００に設けられる溝１０２と突起３０２を含んでいるが、以下ではこれに対してさらに詳しく説明する。
【００５１】
まず、溝１０２は前記ヘッド１２０、特にフラットヘッド１２１の周面とホルダ３００の内面のうち、少なくとも何れか１つに設けられる。そして、突起３０２は溝１０２に挿入されるもので、前記ヘッド１２０、特にフラットヘッド１２１の周面とホルダ３００の内面のうち、少なくとも何れか１つに設けられる。
【００５２】
参考として、図６ａおよび図６ｃには複数の溝１０２がラットヘッド１２１の周面に等間隔で提供され、複数の突起３０２がホルダ３００の内周面、特に側壁３２０の内周面に等間隔で提供された例が示されている。また、突起３０２は複数のフック３２５の間に配置された例が示されている。
溝１０２は、ホルダ３００がフラットヘッド１２１に対して回転することを効果的に防止することができるように、上下方向に長いスリット、またはスロット状からなり、突起３０２は上下方向に長い形状からなる。溝１０２と突起３０２がこのような形状を有すると、ホルダ３００の回転を防止することができるだけでなく、ホルダ３００を前記ヘッド１２０に組み立てる時、突起３０２が溝１０２に沿って滑りながら進むため、組立作業を容易にすることができる。
【００５３】
一方、上述した構造を有する本発明の第１実施形態に係るレッグアセンブリを組み立てる時、パッド２００をヘッド１２０に密着させてから、ホルダ３００をヘッド１２０に組み立てているが、以下ではこれに対してさらに詳しく説明する。
【００５４】
まず、パッド２００を前記ヘッド２００に密着させると、パッド２００の突起２０１はプラットフォーム１２５の溝１０１に挿入され、パッド２００の中央部２２０はプラットフォーム１２５に密着され、パッド２００のエッジ部２１０はフラットヘッド１２１に密着される。
また、パッド２００がヘッド１２０に密着された状態で、ホルダ３００をヘッド１２０に結合させる。この時、ホルダ３００の底部３１０がパッド２００のエッジ部２１０に密着されるように、ホルダ３００をヘッド１２０側からスクリュー１１０側に大きい力で押す。
【００５５】
そうすると、パッド２００の中央部２２０はホルダ３００のホール３１７を貫通し、フック３２５は側壁３２０の一部が開いた状態でフラットヘッド１２１の周面に沿って前進し、図３のように、フラットヘッド１２１の一面に係止して固定される。
前述したように、ホルダ３００がヘッド１２０に固定されると、ホルダ３００の底部３１０とこの底部３１０に提供された突起３１１が、パッド２００のエッジ部２１０をパッド２００に密着させるため、パッド２００がヘッド１２０に安定的に固定される。
【００５６】
また、パッド２００とヘッド１２０に提供された突起２０１と溝１０１は、パッド２００がヘッド１２０に対して滑ったり、回転したりすることを防止する。さらに、ヘッド１２０とホルダ３００に提供された溝１０２と突起３０２は、ホルダ３００がヘッド１２０に対して回転することを防止する。
さらに、側壁３２０はホルダ３００がヘッド１２０に組み立てられた状態では容易に開かないため、フック３２５がフラットヘッド１２１から離脱しない。したがって、レッグボルト１００とパッド２００およびホルダ３００は、非常に堅固な１つのレッグアセンブリになる。
【００５７】
前述したようにホルダ３００、パッド２００、およびヘッド１２０が全て組み立てられた場合、パッド２００の中央部２２０はホルダ３００のホール３１７を貫通して外部に露出する。したがって、スクリュー１１０は電子製品の下部の角に結合され、電子製品を設置する時、パッド２００の中央部２２０は床に接触されることもできる。
【実施例２】
【００５８】
図７に示すように、本発明の第２実施形態に係るレッグアセンブリは、レッグボルト１００、パッド２００、およびインナホルダ３００ａとアウタホルダ３００ｂからなるホルダ３００を含んでいる。ここで、レッグボルト１００とパッド２００の構成は図６ａおよび図６ｂに示しているとおりである。ところが、図６ａおよび図６ｂに示しているレッグボルト１００とパッド２００の構造については、前述した第１実施形態の説明で十分に説明している。
したがって、レッグボルト１００とパッド２００についての説明は省略し、以下ではインナホルダ３００ａとアウタホルダ３００ｂを含んでいるホルダ３００についてのみ説明する。参考として、レッグボルト１００とパッド２００に関連して第１実施形態で用いた符号と同一の符号を用いる。
【００５９】
第２実施形態に係るレッグアセンブリのホルダ３００は、１つの片（piece）からなる第１実施形態のホルダとは異なり、互いに組み立て可能な２つの片、即ちインナホルダ３００ａとアウタホルダ３００ｂとを含んでいる。
インナホルダ３００ａとアウタホルダ３００ｂは図７に示しているように、ヘッド１２０の両側、即ちスクリュー１１０に向かっている側とその反対側からヘッド１２０を囲むように組み立てられ、パッド２００をヘッド１２０に安定的に固定する。以下では、インナホルダ３００ａとアウタホルダ３００ｂの構造に対して、図７ないし図１０ｂを参考にしてさらに詳しく説明する。
【００６０】
インナホルダ３００ａは、１つの片からなり、図７に示すように、パッド２００のエッジ部２１０を囲むように設けられる。このようなインナホルダ３００ａは、図９に示しているように、パッド２００と接する側でヘッド１２０に結合され、図１０ｂに示すように、第１底部３１０ａと第１側壁３２０ａを含んでいる。
第１底部３１０ａの中央には、図９および図１０ａに示すように、パッド２００の中央部２２０が貫通するホール３１７ａが設けられる。そして、第１底部３１０ａは、アウタホルダ３００ｂ、インナホルダ３００ａおよびヘッド１２０が結合された時、パッド２００のエッジ部２１０をヘッド１２０、特にフラットヘッド１２１に密着させて固定する。
【００６１】
また、第１側壁３２０ａは、第１底部３１０ａの周面からスクリュー１１０の前進方向側にほぼ垂直に延長される。このような第１側壁３２０ａは、アウタホルダ３００ｂ、インナホルダ３００ａ、そしてヘッド１２０が結合された時、エッジ部２１０の周面を囲む。ところが、第１側壁３２０ａは、その長さが長く形成された場合、エッジ部２１０の周面だけでなく、ヘッド１２０、特にフラットヘッド１２１の周面まで囲む。
【００６２】
なお、第２実施形態に係るレッグアセンブリには、インナホルダ３００ａが、エッジ部２１０を大きい圧力で押すことができる構造がさらに設けられる。このため、パッド２００のエッジ部２１０と接触する第１底部３１０ａには、図８および図１０ａに示しているように、少なくとも一つの突起３１１ａが前記パッド２００側に突出する。
このような突起３１１ａは、エッジ部２１０を満遍なく押すことができるように、複数の突起が備えられて前記ホール３１７ａの周辺に等間隔で配置されることが好ましい。しかし、突起３１１ａの構造は、これに制限されるだけではない。例えば、突起３１１ａは、ホール３１７ａの周辺に沿ってリング状に突出させることもできる。
【００６３】
一方、アウタホルダ３００ｂは、１つの片からなり、図７に示しているように、一方がヘッド１２０、特にフラットヘッド１２１に支持され、他方がインナホルダ３００ａに支持されるように設けられる。このようなアウタホルダ３００ｂは、スクリュー１１０を有する側でヘッド１２０に結合され、図１０ｂに示しているような第２底部３１０ｂ、第２側壁３２０ｂ、そしてフック３２５ｂを含んでいる。以下では、これについてさらに詳しく説明する。
【００６４】
第２底部３１０ｂの中央には、図９および図１０ｂに示すように、スクリュー１１０が貫通するホール３１７ｂが備えられる。ここで、角状のヘッド１３０がスクリュー１００とフラットヘッド１２１との間に設けられる場合、ホール３１７ｂは角状のヘッド１３０が貫通することができるように、十分に大きく形成される。このような第２底部３２０は、図７に示しているように、インナホルダ３００ａ、アウタホルダ３００ｂ、およびヘッド１２０が結合された時、ヘッド１２０、特にフラットヘッド１２１の一面に支持される。
また、第２側壁３２０ｂは、第２底部３１０ｂの周面からスクリュー１１０の前進方向とは反対側にほぼ垂直に延長される。したがって、第２側壁は、アウタホルダ３００ｂ、インナホルダ３００ａ、およびヘッド１２０が結合された時、インナホルダ３００ａの第１側壁３２０ａを囲む。
【００６５】
一方、第２側壁３２０ｂには、図１０ｂに示しているように、フック３２５ｂが設けられる。フック３２５ｂは、図７に示しているように、インナホルダ３００ａがパッド２００のエッジ部２１０を押した状態でインナホルダ３００ａに係止して支持される。
前記フック３２５ｂは、図１０ｂに示しているように、側壁３２０ｂの内面から前記アウタホルダ３００ｂの内部空間に突出し、インナホルダ３００ａの第１底部３１０ａがパッド２００のエッジ部２１０を満遍なく押して固定することができるように複数のフックが備えられ、第２側壁３２０ｂの内面に等間隔で配置される。但し、第２フック３２５ｂは、図示はしないが、第２側壁３２０ｂの内面ではなく、上端から延長されることもできる。
【００６６】
なお、インナホルダ３００ａの第１底部３１０ａが、パッド２００のエッジ部２１０を安定的に固定させるように、第２底部３１０ｂと第２フック３２５ｂとの間の距離は圧縮される前のエッジ部２１０の厚さとヘッド１２０、特にフラットヘッド１２１の厚さとの和より小さいことが好ましい。
【００６７】
一方、フック３２５ｂは、第２側壁３２０ｂの内面からアウタホルダ３００ｂの内部空間に突出するため、アウタホルダ３００ｂをヘッド１２０とインナホルダ３００ａに容易に結合させるためには、前記フック３２５ｂが延長された第２側壁３２０ｂの一部分が、アウタホルダ３００ｂの外側に向かって容易に開くことができなければならない。従って、第２実施形態に係るレッグアセンブリには、このために、切欠部３１５ｂが設けられる。
切欠部３１５ｂは、図１０ｂに示しているように、アウタホルダ３００ｂの第２底部３１０ｂと、第２側壁３２０ｂの連結部位に設けられる。第２フック３２５ｂが形成された第２側壁３２０ｂの一部を容易に開くためには、切欠部３１５ｂは、第２底部３１０ｂと、第２側壁３２０ｂの連結部位のうちでも、アウタホルダ３００ｂを上から見た時、フック３２５ｂが投影される領域、即ち、フック３２５ｂの垂直投影面に設けられることが好ましい。
【００６８】
前記の構造を有するアウタホルダ３００ｂは、レッグボルト１００のヘッド１２０を囲む。したがって、作業者が前記レッグアセンブリを家電製品に組み立てる時、前記アウタホルダ３００ｂの外周面を手、または必要に応じて、工具で掴んで回転させると便利である。
したがって、第２ホルダ３００ｂは、硬質材質からなり、手または工具で掴みやすいように、図８および図１０ｂに示しているように、角状の外周面を有することが好ましい。ここで、角状の外周面の角部分は、図８に示しているように、ラウンド処理することができる。
前述したのように、アウタホルダ３００ｂが硬質材質からなり、角状の外周面を有すると、ゴムブチル材質からなるパッドが外部に露出した典型的なレッグアセンブリより滑らかで、かつきれいな外観を得ることができる。
【００６９】
一方、本発明の第２実施形態に係るレッグアセンブリには、インナホルダ３００ａがヘッド１２０、特にフラットヘッド１２１に対して回転することを防止する第３回転止め具が設けられることができる。第３回転止め具は、ヘッド１２０とインナホルダ３００ａに設けられる溝１０２と、突起３０２ａを含んでいるが、以下ではこれについてさらに詳しく説明する。
【００７０】
まず、溝１０２は、ヘッド１２０、特にフラットヘッド１２１の周面とインナホルダ３００ａの内面のうち、少なくとも何れか１つに設けられる。先ず、突起３０２ａは、溝１０２に挿入されるもので、ヘッド１２０、特にフラットヘッド１２１の周面とインナホルダ３００ａの内面のうち、少なくとも何れか１つに設けられる。
参考として、図８および図１０ａには、複数の溝１０２がフラットヘッド１２１の周面に等間隔で提供され、複数の突起３０２ａがインナホルダ３００ａの内周面、特に第１側壁３２０ａの内周面に等間隔で提供された例が示されている。
【００７１】
溝１０２は、インナホルダ３００ａがフラットヘッド１２１に対して回転することを効果的に防止することができるように、上下方向に長いスリット、またはスロット形態からなり、突起３０２ａは、上下方向に長い形状からなる。溝１０２と突起３０２ａがこのような形状を有すると、インナホルダ３００ａの回転を防止することができるだけでなく、インナホルダ３００ａをヘッド１２０に組み立てる時、突起３０２ａが溝１０２に沿って滑りながら進むため、組立作業を容易にすることができる。
【００７２】
また、本発明の第２実施形態に係るレッグアセンブリには、アウタホルダ３００ｂが、インナホルダ３００ａに対して回転することを防止する第４回転止め具が設けられることができる。第４回転止め具は、図８、図１０ａ、および図１０ｂに示すように、インナホルダ３００ａの角状の外周面とアウタホルダ３００ｂの角状の内周面を含んでいる。
この場合、インナホルダ３００ａとアウタホルダ３００ｂは、各々硬質材質からなり、アウタホルダ３００ｂの角状の内周面は、図８に示しているように、インナホルダ３００ａの角状の外周面に噛み合うことが好ましい。したがって、アウタホルダ３００ｂは、前記のように、内面と外面との全てが角状の面を有するように形成される。
【００７３】
インナホルダ３００ａとアウタホルダ３００ｂが前述したような構造を有すると、作業者はアウタホルダ３００ｂの角状の外周面を手や工具などで掴んで容易に回転させることができる。この場合、アウタホルダ３００ｂは、空転せず、インナホルダ３００ａおよびヘッド１２０と共に回転する。
【００７４】
一方、前述した構造を有する第２実施形態に他のレッグアセンブリを組み立てる時は、レッグボルト１００のヘッド１２０にパッド２００を密着させた後、インナホルダ３００ａとアウタホルダ３００ｂをヘッド１２０の両側で結合させる。
このために、インナホルダ３００ａの第１底部３１０ａがパッド２００のエッジ部２１０に密着されるように配置されている状態で、アウタホルダ３００ｂは、前記スクリュー１１０を有する側からパッド２００を有する側に前進しながらインナホルダ３００ａと結合する。
【００７５】
この時、フック３２５ｂは、アウタホルダ３００ｂの第２側壁３２０ｂが少し開いた状態で、インナホルダ３００ａの第１側壁３２０ａの外周面に沿って移動して、インナホルダ３００ａの第１底部３１０ａに係止して支持される。そうすると、前記アウタホルダ３００ｂの第２底部３１０ｂはフラットヘッド１２１に支持され、フック３２５ｂはパッド２００のエッジ部２１０が圧縮された状態で前記インナホルダ３００ａの第１底部３１０ａに係止して支持される。
【００７６】
一方、前述したように、インナホルダ３００ａ、アウタホルダ３００ｂ、パッド２００、およびヘッド１２０が全て組み立てられた場合、インナホルダ３００ａの第１底部３１０ａと第１底部３１０ａに提供された突起３１１ａが、パッド２００のエッジ部２１０をパッド２００に密着させるため、パッド２００がヘッド１２０に安定的に固定される。また、パッド２００とヘッド１２０に提供された突起２０１と溝１０１が、パッド２００がヘッド１２０に対して滑ったり、回転したりすることを防止する。
【００７７】
また、インナホルダ３００ａ、アウタホルダ３００ｂ、パッド２００、およびヘッド１２０が全て組み立てられた場合、第３回転止め具と第４回転止め具がインナホルダ３００ａおよびアウタホルダ３００ｂの空転を防止する。さらに、アウタホルダ３００ｂの第２側壁３２０ｂは、アウタホルダ３００ｂがインナホルダ３００ａとヘッド１２０に組み立てられた状態で開きにくいため、フック３２５ｂがインナホルダ３００ａの第１底部３１０ａから離脱しない。したがって、レッグボルト１００とパッド２００およびホルダ３００は非常に堅固な１つのレッグアセンブリになる。
さらに、インナホルダ３００ａ、アウタホルダ３００ｂ、パッド２００、およびヘッド１２０が全て組み立てられた場合、スクリュー１１０はアウタホルダ３００ｂのホール３１７ｂを貫通して外部に露出し、パッド２００の中央部２２０はインナホルダ３００ａのホール３１７ａを貫通して外部に露出する。したがって、スクリュー１１０は電子製品の下部角に結合され、電子製品の設置時、パッド２００の中央部２２０は床に接触することができる。
【００７８】
一方、前記で幾つかの実施形態が説明されたにも拘らず、本発明がこの趣旨および範疇から逸脱することなく、他の幾つかの形態で具体化されることができる事実は、該当技術に通常の知識を有する者には自明なものである。したがって、上述した実施形態は制限的なものではなく、例示的なものでなければならず、添付した請求項およびこの同等範囲内の全ての実施形態は本発明の範疇内に含まれている。
【産業上の利用可能性】
【００７９】
本発明のレッグアセンブリには次のような効果がある。
本発明に係るレッグアセンブリが洗濯機、衣類乾燥機、冷蔵庫、および食器洗浄機などの家電製品に適用される場合、これら家電製品から発生する振動を前記レッグアセンブリのパッドが効果的に低減させる。
【００８０】
また、本発明に係るレッグアセンブリは、パッドをレッグボルトに取り付けるために、接着剤の噴霧およびモルディング工程無しに、簡単な組立工程を通して製作することができる。したがって、典型的なレッグより生産性が非常に向上される。
【００８１】
また、ホルダが硬質材質であるだけでなく、角状の外周面を有するため、レッグアセンブリを家電製品に組み立てる時、非常に便利で、かつ容易に作業することができる。
【００８２】
さらに、家電製品が設けられた時、外部に露出するホルダが硬質材質で、かつ滑らかな表面を有するため、きれいな外観を得ることができる。
【図面の簡単な説明】
【００８３】
【図１】レッグが家電製品に取り付けられた状態を示す斜視図である。
【図２】典型的なレッグの一実施形態を示す部分断面図である。
【図３】本発明の第１実施形態に係るレッグアセンブリを示す断面図である。
【図４】図３のレッグアセンブリを“Ａ”方向から見た平面図である。
【図５】図３のレッグアセンブリの分解断面図である。
【図６ａ】図３のレッグアセンブリのレッグボルトを示す斜視図である。
【図６ｂ】図３のレッグアセンブリのパッドを示す斜視図である。
【図６ｃ】図３のレッグアセンブリのホルダを示す斜視図である。
【図７】本発明の第２実施形態に係るレッグアセンブリを示す断面図である。
【図８】図７のレッグアセンブリを“Ｂ”方向から見た平面図である。
【図９】図７のレッグアセンブリの分解断面図である。
【図１０ａ】図７のレッグアセンブリのインナホルダを示す斜視図である。
【図１０ｂ】図７のレッグアセンブリのアウタホルダを示す斜視図である。
【図１】
2007500833.tif 000003
【図２】
2007500833.tif 000004
【図３】
2007500833.tif 000005
【図４】
2007500833.tif 000006
【図５】
2007500833.tif 000007
【図６Ａ】
2007500833.tif 000008
【図６Ｂ】
2007500833.tif 000009
【図６Ｃ】
2007500833.tif 000010
【図７】
2007500833.tif 000011
【図８】
2007500833.tif 000012
【図９】
2007500833.tif 000013
【図１０Ａ】
2007500833.tif 000014
【図１０Ｂ】
2007500833.tif 000015
【国際調査報告】
2007500833.tif 000016
2007500833.tif 000017